Podtech/llm-jp-corpus-v4-ja_patent huggingface dataset:
(57)【要約】【課題】優れた美容効果が得られる美顔ローラを提供する。【解決手段】美顔ローラ１０１は、柄１の一端にマグネシウムを含有するゴムからなる回転ローラ４を備える。【選択図】図１
0003189460.tif 000002
【実用新案登録請求の範囲】
【請求項１】
柄の一端にマグネシウムを含有するゴムからなる回転ローラを備えることを特徴とする美顔ローラ。
【考案の詳細な説明】
【技術分野】
【０００１】
本考案は美顔ローラに関する。
【背景技術】
【０００２】
美顔ローラはゴム製や金属製の回転ローラ部を備えており、顔面、あご回り、首筋、二の腕などの肌に回転ローラを当て、肌の上で転がすように移動させることによって美容マッサージを行う。
【考案の概要】
【考案が解決しようとする課題】
【０００３】
本考案は、優れた美容効果が得られる美顔ローラを提供することを目的とする。
【課題を解決するための手段】
【０００４】
本考案は、柄の一端にマグネシウムを含有するゴムからなる回転ローラを備えることを特徴とする美顔ローラである。
【考案の効果】
【０００５】
本考案により提供される美顔ローラを用いて肌をマッサージすると、回転ローラの回転によるマッサージ効果と、回転ローラに含まれるマグネシウムによる美肌効果とが同時に発揮されるので、優れた美容効果が得られる。
【図面の簡単な説明】
【０００６】
【図１】本考案の美顔ローラの一例（美顔ローラ１０１）の正面斜視図である。
【図２】本考案の美顔ローラの一例（美顔ローラ１０１）の背面図である。
【考案を実施するための形態】
【０００７】
図１及び図２に、本考案に属する美顔ローラ１０１を示す。美顔ローラ１０１は、柄１の一端が二股に分かれており、左右一対のローラ部２（右側ローラ部２Ｒ、左側ローラ部２Ｌ）が軸回転可能に取り付けられている。各ローラ部２は、軸受け孔を有するローラ支持部３の略円筒状側面に、リング乃至タイヤ形状のゴム製回転ローラ４が２つずつ、軸方向に間隔を空け並列させて、嵌め込み固定されたものであり、柄１の先端の軸部にローラ支持部の軸受け孔が挿入され、軸回転可能に支持される。
回転ローラ４は、マグネシウムを含有するゴムで形成されている。この回転ローラは、ゴム原料にマグネシウム粉末を混合し、成形すればよい。
【０００８】
上記美顔ローラ１０１の回転ローラ４を顔面などの肌に当て、転がすように移動させてマッサージすると、ゴム製回転ローラの回転によるマッサージ効果と、ゴム製回転ローラに含まれるマグネシウムによる美肌効果とが同時に発揮されるので、優れた美容効果が得られる。
マグネシウムによる美肌効果としては、美白、肌をきめ細かくするなどの効果がある。美顔ローラを風呂などで用いるときに回転ローラに含まれるマグネシウムが水分と反応して水素を発生し、その水素が肌に作用することがマグネシウムによる美肌効果が発揮される一要因になっていると推測される。
【０００９】
なお美顔ローラの形状や回転ローラの数は図示した例のものに限定されるわけではない。
図示した例では、柄の二股となった先端のそれぞれにローラ部２を一対となるように設けているが、柄の一端に単純に一つだけローラ部を設けても良い。一つのローラ部２に２つの回転ローラ４を並列に固定するのではなく、一つのローラ部に、幅広の回転ローラを一つだけ固定してもよい。回転ローラは柄の一端側寄りに設ければよく、柄の最先端に設ける必要はない。
また、図示した例ではリング状の回転ローラが柄の先端を中心にして軸回転するが、柄の先端に球状の回転ローラをベアリングを介して取付けて、軸回り方向に規制されずに自由な方向に回転するようにしてもよい。
【符号の説明】
【００１０】
１０１：美顔ローラ
１：柄
２（２Ｒ、２Ｌ）：ローラ部
３：ローラ支持部
４：回転ローラ
【図１】
0003189460.tif 000003
【図２】
0003189460.tif 000004
(57)【要約】      （修正有）【課題】一度貼り付けたら剥がせなかった写真を、３から５回繰り返し貼り替えられる写真貼付け用台紙を提供する。【解決手段】０.５ミリ厚の基盤４に貼り付いている両面粘着フイルムは、基盤４には強粘着糊３で、写真を貼る面は軟粘着糊２になっている。その上に剥離紙１が保護している。写真を貼る面に軟粘着糊２を使用することで、３から５回位、繰り返し貼れるようになり、コストは３から５分の１になる。写真をきちんと合わせて貼ることも、細かなゴミの問題も貼りなおせることで解決でき、価格面と品質面で向上し使いやすい。写真を入れ替わり展示する写真ギャラリー業界で利用可能性が大である。【選択図】図１
0003189457.tif 000002
【実用新案登録請求の範囲】
【請求項１】
写真展示用裏打ち台紙の基盤の表面に貼付ける両面フイルムにおいて、写真貼付け面
に軟粘着糊を使用する写真貼付け用台紙。
【考案の詳細な説明】
【技術分野】
【０００１】
本発明は3から5回位、写真を繰り返し貼れるようにした裏打ち台紙。
【０００２】
従来の裏打ち台紙は、一度貼り付けると剥がすことは出来ないため、写真1枚に台紙１枚が要るのでコストが高くなる。又保存するときも台紙がついたままの保存となり重くて嵩も増える。
【０００３】
一度貼り付けると剥がすことの出来ない台紙に、写真をきちんと合わせて貼るのは困難で、ずれたりすると台紙も写真も使えなくなり高いコストとなる。又専門の店などに頼んでもコストの高いものになる。
【０００４】
台紙に写真を貼るとき、小さなゴミ等が入っても、写真表面に突起が出来見苦しくなったりし作品にならないなど、結構あつかいにくい欠点があつた。
【先行技術文献】
【非特許文献】
【０００５】
【非特許文献１】富士フイルムの裏打ちシート  例えば、富士フイルムの台紙（プリント裏打ちシートをお使いになる前にお読みください）の中「再剥がしや貼りなおしは出来ませんのでご注意ください。」と記してある。    又、ネットショップ岡田絵具店の貼り合わせ前の注意事項に「再剥がしや貼り直しは出来ませんのでご注意ください」と記してある。
【考案の概要】
【考案が解決しようとする課題】
【０００６】
一度貼り付けたら剥がせない。
【課題を解決するための手段】
【０００７】
本発明は、以上のような従来の欠点を鑑み、写真を貼る面に軟粘着糊を使用することで３から５回位繰り返し貼れるようにしたものである。
【考案の効果】
【０００８】
３から５回位繰り返し貼れることで、コストが３から５分の１の安さになる。又貼り直しが出来ることで上記のような欠点、きちんと合わせて貼ることや、細かなゴミ等の問題も解決でき、使いやすい裏打ち台紙となる。
【図面の簡単な説明】
【０００９】
【図１】本発明の裏打ち台紙の概観図
【図２】裏打ち台紙に写真を貼ったときの断面図。
【００１０】
以下、本発明の実施を図に基づいて説明する。
【実施例１】
【００１１】
図１、本発明の実施例１の断面図であって、０.５ミリ厚の基盤４に貼り付いている両
面粘着フイルムは、基盤には強粘着糊３で、写真を貼る面は軟粘着糊２になっている。その上に剥離紙１が保護している。
又、図２は写真を貼り付けたときの部分断面図で０.５ミリ厚の基盤４に両面粘着フイムは基盤には強粘着糊３、写真を貼る面は軟粘着糊２、その上に写真５が貼りついているので３から５回位貼ったり、剥がしたりすることが出来る。
【産業上の利用可能性】
【００１２】
本発明は、写真等の展示で多く使われている裏打ち台紙、裏打ちシート、バックシート等と商品名があり上記で説明のとおり、一度貼ったら剥がせない物であったので展示する写真等は新しい写真を展示する度に裏打ち台紙も必要であったが、本発明の繰り返し貼れる裏打ち台紙は、３から５回位の貼り替えが出来、コストは当然３から５分の１になる。写真をきちんと合わせて貼ることも、細かなゴミの問題も貼りなおせることで解決でき、価格面と品質面で向上し、使いやすい裏打ち台紙となります。このように写真を入れ替わり展示する写真ギャラリー業界で利用可能性が大である。
【符号の説明】
【００１３】
１  剥離紙
２  両面粘着フイルムの軟粘着糊
３  両面粘着フイルムの強粘着糊
４  基盤
５  写真
６  台紙
【図１】
0003189457.tif 000003
【図２】
0003189457.tif 000004
(57)【要約】      （修正有）【課題】ショールにおいて、肩にかけて使用した場合でも、掛けただけでは肩からすべり落ちることがないショールを提供する。【解決手段】二枚もしくは二枚以上の生地を合わせて縫製し、腕を通せるように仕上げ、生地を重ねた背中部分にゴムを通すことによって滑り落ちることを防ぐことができることを特徴とする。【選択図】図１
0003189521.tif 000002
【実用新案登録請求の範囲】
【請求項１】
二枚もしくは二枚以上の生地を合わせて縫製し、腕を通せるように仕上げ、生地を重ねた背中部分にゴムを通すことによって滑り落ちることを防ぐことができることを特徴とする衣類。
【考案の詳細な説明】
【技術分野】
【０００１】衣類
【背景技術】
【０００２】従来は一枚布が基本であった。
【考案の概要】
【考案が解決しようとする課題】従来、ショールとは肩に掛けて使用する物が主流であるが、一枚布を肩に掛けるのみでは滑り落ちてしまうことがあった。また、袖付の物に関しても一枚の生地を羽織る形では肩の部分における安定性が劣ることや、背中の部分における伸縮性がないため着用しづらい物であった。
【課題を解決するための手段】本考案では、従来では一枚布であったショールを複数枚の生地を重ね合わせた形にし、背中の部分の生地の間にゴムを通すことにより安定性および伸縮性を実現した。また、袖の部分を透き通るような素材にすることにより、軽く機能性にも優れたものとした。
【図面の簡単な説明】
【図１】本考案の制作に関する図
【図２】本考案の使用例
【図１】
0003189521.tif 000003
【図２】
0003189521.tif 000004
【手続補正書】
【提出日】平成25年12月24日(2013.12.24)
【手続補正１】
【補正対象書類名】実用新案登録請求の範囲
【補正対象項目名】全文
【補正方法】変更
【補正の内容】
【実用新案登録請求の範囲】
【請求項１】
二枚もしくは二枚以上の生地を合わせて縫製し、腕を通せるように仕上げ、生地を重ねた背中部分にゴムを通すことによって滑り落ちることを防ぐことができることを特徴とするショール。
【手続補正２】
【補正対象書類名】図面
【補正対象項目名】図２
【補正方法】変更
【補正の内容】
【図２】
0003189521.tif 000005
(57)【要約】      （修正有）【課題】自然で複雑に輝く貝殻の集魚効果と、蓄光の集魚効果を併せ持つ装飾を施すことで、強く魚にアピールすることができる、蓄光と貝殻の集魚効果を併せ持つルアーを提供する。【解決手段】ルアーに蓄光塗料Ｂを施した箇所に、光を透過する薄い貝殻のシートＡを貼り付けた後、クリア塗料でコーティングし、表面が平滑になるようコーティングとサンディングを繰り返す。これにより、外部の貝殻が光を受けて輝く集魚効果と、内部からの蓄光の集魚効果による多彩で高い集魚効果を併せ持たせることができる。【選択図】図１
0003189527.tif 000002
【実用新案登録請求の範囲】
【請求項１】
柔軟質のルアーを除き、蓄光塗料が塗布できて貝殻のシートを張り付けることができるルアーにおいて、目的とする場所に薄い貝殻のシートを貼り付けることで、外部からの光を受けて輝く貝殻の集魚効果と、内部からの蓄光の集魚効果を併せ持つ、多彩で高い集魚効果の装飾を施したルアー。
【考案の詳細な説明】
【技術分野】
【０００１】  本考案は、蓄光塗料を塗布したルアーの上に薄い貝殻のシートを貼り付けた、複合的で高い集魚効果のある装飾を施した釣り用ルアーに関するものである。
【背景技術】
【０００２】  釣りにおいて、蓄光による集魚効果は朝夕のまずめ時、夜間、水深が深い時などに有効であり、貝殻のシートを貼り付けたルアーは、その複雑な模様と独自の風合いによる輝きで魚を魅了する。これまで、蓄光塗料や蓄光シート、貝殻のシート、それらを装飾したルアーは個別に存在しているが、両方の性質を併せ持つルアーはなかった。そのため、状況に応じてルアーを交換して使用していたため効率が悪く、時合を逃してしまうことがあった。【０００３】  蓄光層とホログラムで形成されたシートやルアーは特許公開平１１−１２３０３７で提供されているが、ホログラムではなく透光性をもつ薄い貝殻にすることにより、自然な輝きと複雑な模様、独自の風合いによる光の反射と蓄光効果でさらなる釣果が見込まれる。
【先行技術文献】
【特許文献】
【０００４】
【特許文献１】特許公開平１１−１２３０３７
【考案の概要】
【考案が解決しようとする課題】
【０００５】  本考案の目的とするところは、外部からの光を受けて輝く貝殻の集魚効果に加えて、内部からの蓄光の集魚効果を併せ持つ、多彩で高い集魚効果のある装飾を施したルアーを提供しようとするものである。
【課題を解決するための手段】
【０００６】  上記目的を達成するために、本考案におけるルアーは、蓄光塗料を施した箇所に光を透過する薄い貝殻のシートを貼り付けた後、クリア塗料でコーティングして表面が平滑になるようコーティングとサンディングを繰り返した。柔軟質のルアーを除いて、蓄光塗料が塗布でき、貝殻のシートを張り付けることができれば、ルアーの形状や材質、大きさ、場所などは問わずに本考案を施すことができる。貝殻のシートは割りが入っていないとルアーの曲面に貼り付けることができないため、細かく割りを入れることが望ましい。
【考案の効果】
【０００７】  本考案におけるルアーは、外部の貝殻が光を受けて貝殻の模様に反射して輝く集魚効果と、内部からの蓄光の光による集魚効果を併せ持つことで、多彩で高い集魚効果を得ることができた。朝夕のまずめ時、夜間、水深が深い時は太陽などの光量が足りないため、貝殻の集魚効果が低くなるが、内部からの蓄光の光により、貝殻も輝くことができるので、魚へのアピールが大変良い。また、光を反射させる効果を十分に得るためには、クリアーコーティングやサンディングを繰り返して表面を平滑かつ透明感のある状態にすることが重要となる。【０００８】  本考案の蓄光と貝殻の集魚効果を併せ持つルアーにより、ルアー交換をしなくても十分な集魚効果を得ることができるため、時合を逃さずに手返しよく釣りをすることができ、良い釣果を得ることができた。
【図面の簡単な説明】
【図１】本考案を実施した蓄光と貝殻の集魚効果を併せ持つルアーの左側面図である。
【図２】本考案を実施したその他のルアーの左側面図である。
【考案を実施するための形態】
【０００９】  本考案の実施例を図で説明する。図１は本考案を実施した蓄光と貝殻の集魚効果を併せ持つルアーの左側面図である。図のルアーは実願２０１３−５７２１のメタルジグを活用した。柔軟質のルアーを除いて、蓄光塗料が塗布でき、貝殻のシートが張り付けることができれば、ルアーの形状や材質、大きさ、場所などは問わず施工できる。斜線部は蓄光の部分である。実際には図ほどの厚みはなく、ＡとＢを合わせて約０．５ｍｍから１ｍｍほどである。浮力体を有した本体背面の上に蓄光塗料を施し、十分に乾燥させた後、割を入れた薄い貝殻のシートを貼り付け、クリア塗料で表面が平滑になるようコーティングとサンディングを繰り返した。
【００１０】  図２は本考案を実施したその他のルアーの実施例である。このルアーは全体を蓄光で塗装してあり、貝殻シートを魚の好む部分や目立たせたい部分に貼り付けることでで、貝殻シートを貼り付けた場所の蓄光とそれ以外の場所の蓄光による発光に明暗が付き、複雑な集魚効果を得ることができる。他の方法として、貝殻シートを貼り付ける部位のみに蓄光塗料を塗布できるようにマスキングをしてから塗布を行い、貝殻のシートを切り抜いて貼り付けることも可能である。
【符号の簡単な説明】
（Ａ）薄い貝殻シート
（Ｂ）蓄光塗料
【図１】
0003189527.tif 000003
【図２】
0003189527.tif 000004
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
蓄光塗料を塗布し、かつ、貝殻のシートを貼り付けたことを特徴とするルアー。
(57)【要約】      （修正有）【課題】傘をたたんだ際に雨水が入り、車やバスの床を濡らしてしまうことがなく、更に、アクセサリーにもなる傘の雨水袋を提供する。【解決手段】傘の先端にテーパー勘合される傘の雨水袋３であって、テーパー凹部が設けられた基部１と、雨水袋を支えるための支え２と、を備えるとともに、雨水袋本体に傘のアクセサリーにもなるデザインを施したことを特徴とする。【選択図】図１
0003189537.tif 000002
【実用新案登録請求の範囲】
【請求項１】
傘の先端にテーパー嵌合され、傘をたたんだ状態で雨水が自動的に入り、かつ、傘のアクセサリーにもなるデザインを施したことを特徴とする傘の雨水袋。
【考案の詳細な説明】
【技術分野】
【０００１】
本考案は、雨降り時使用した傘をたたみ、車やバスに乗り込む際、傘から垂れる雨水を受け取る雨水袋に関するものである。
【背景技術】
【０００２】
現在デパートなどの公共施設に入る際、入り口に用意してある雨袋に傘を入れている。
【考案の概要】
【考案が解決しようとする課題】
【０００３】
（イ）解決しようとする問題点は、車やバスに乗る際、傘袋がないため傘からの雨水が垂れ、大切な車の床を濡らしてしまう。また、バスの床を濡らし滑りやすくなる危険もある。
（ロ）傘の先端の尖った部分で、思わぬ状態で他人に危害を加える危険が潜んでいる。
（ハ）電車内でよく目にする光景であるが、座っている乗客の傘が通路の中程まで何本も飛び出している。この原因は傘の先端が滑り易いためである。
【課題を解決するための手段】
【０００４】
（イ）本考案は、課題を解決するために、傘の先端に傘から垂れる雨水を受け取る雨水袋を装着したものである。
（ロ）雨水袋は傘の先端にテーパー嵌合され、傘と雨水袋の隙間から雨水は自動的に雨水袋に入り、大切な車の床を濡らすこともなく、バスの床を濡らし滑り易くなる危険も解決できる。
（ハ）傘の先端の滑り易く尖った部分に雨水袋が装着されているため、０００３（ロ）および（ハ）の課題も解決できる。
【考案の効果】
【０００５】
（イ）現在行われているデパートなどの公共施設に入る際、傘を傘袋に入れるのは手間であり煩わしいものであるが、この煩わしさが無くなり、車やバスに乗る際も床を濡らす心配もなくなる効果がある。
（ロ）本考案の雨水袋は無地のもの、山を描いたもの、小さな縫い包みのもの、動物を描いたもの、漫画を描いたもの、などの種類を設けることにより、傘のアクセサリーにもなる効果がある。
（ハ）本考案の雨水袋を傘の先端に取り付けておくことにより、傘のアクセサリーの役目の他に、傘の先端の突起部で他人に危害を与えない役目、傘の先端を滑り難くする役目などの効果が大きい。
【図面の簡単な説明】
【０００６】
【図１】本考案の雨水袋の正面図である
【図２】傘をたたんだ状態で雨水袋が装着されている正面図である
【図３】傘をたたんだ状態で図２と異なるデザインの雨水袋が装着されている正面図である
【図４】雨降り時、傘を使用している正面図である
【考案を実施するための形態】
【０００７】
以下、本考案の実施の形態を、図１〜図４に基づき説明する。
（イ）本考案の傘の雨水袋は、図１のように傘５の先端に嵌合されるテーパー凹部を基部１とし、この基部１に防水機能のある雨水袋３が、支え２によって支えられている構造である。
（ロ）基部１のテーパー凹部は、傘５の先端の太さの違いに対応するため、内径の異なる各種アダプター４を用意している。
（ハ）本考案の雨水袋を図２、図３および図４のように傘に取り付ける方法は、手で押し込み嵌合するだけである。
【符号の説明】
【０００８】
１  雨水袋の基部
２  雨水袋の支え
３  雨水袋
４  本体内のテーパー凹部のアダプター
５  傘
【図１】
0003189537.tif 000003
【図２】
0003189537.tif 000004
【図３】
0003189537.tif 000005
【図４】
0003189537.tif 000006
【手続補正書】
【提出日】平成26年1月9日(2014.1.9)
【手続補正１】
【補正対象書類名】実用新案登録請求の範囲
【補正対象項目名】全文
【補正方法】変更
【補正の内容】
【実用新案登録請求の範囲】
【請求項１】
傘の先端にテーパー勘合される傘の雨水袋であって、テーパー凹部が設けられ
た基部と、雨水袋を支えるための支えと、を備えるとともに、雨水袋本体に傘の
アクセサリーにもなるデザインを施したことを特徴とする傘の雨水袋。
(57)【要約】      （修正有）【課題】釣りを行う時、誰でも簡単に性能を引き出せ、良好な集魚効果と釣果を期待できる釣り用スプーンを提供する。【解決手段】釣り用スプーンの本体Ａ又は水受け部分に、水流コントロール用の断面に角度を持った翼Ｂを設け、釣り用スプーン本体及び水受け部分の背面に発生する水流Ｅ，Ｆ，Ｇと水流の向き及び負圧をコントロールする。【選択図】図３
0003189555.tif 000002
【実用新案登録請求の範囲】
【請求項１】
釣り用スプーンの本体又は水受け部分の側面に、水流制御用の断面に角度を持った翼を設け、本体及び水受け部分の背面に発生する水流と水流の向き及び負圧をコントロールする形状を有する釣り用スプーン。
【考案の詳細な説明】
【技術分野】
【０００１】本考案は釣り用のスプーンに関し、スプーンの動きの源となる水流と負圧を制御するものである。
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来の釣り用スプーンはリトリーブ時に本体又は水受け部分に受ける水圧及び水流により本体を反復運動させていた。しかし前記２か所の背面に発生する水流とそれにより発生する負圧は受け流されていたため、既存の製品は少々扱いづらく釣り用スプーンの操作にはある程度の練度が必要だった。
本考案は釣り用スプーン背面に発生する水流及び負圧をコントロール活用し、誰でも容易に釣り用スプーンの性能を引き出せるようにする事である。
【課題を解決するための手段】
【０００６】釣り用スプーンの本体又は水受け部分の側面に水流制御用の断面に角度を持った翼を設け本体及び水受け部分の背面に発生する水流と水流の向き及び負圧をコントロールする。
【考案の効果】
【０００７】水流制御翼を設けることによって、従来は本体背面を不規則に流れていた水流に規則性と方向性が生まれた。これにより、水圧の低かった低速度域でも釣り用スプーンが安定して反復運動するようになり、水圧の高い高速度域ではバランスを崩さず姿勢を保つようになった。
これらの結果、初心者でも釣り用スプーンの操作が容易になり、より良好な集魚効果と釣果を期待できるようになった。
【図面の簡単な説明】
【０００８】
【図１】前面図
【図２】側面図
【図３】側面図  高速リトリーブ時の水流と水流の向き
【図４】側面図  低速リトリーブ時の水流と水流の向き
【考案を実施するための形態】
【０００９】釣り用スプーンの本体もしくは主たる水受け部分の側面に水流と水流の向きを制御する断面に角度の付いた翼を設置する。
【実施例】
【００１０】図２参照
【産業上の利用可能性】
【００１１】
【符号の説明】
【００１２】Ａ  本体    Ｂ  水流制御翼    Ｃ  ライン結束孔    Ｄ  フック連結孔
Ｅ  水流    Ｆ  本体背面に発生した横方向の水流    Ｇ  Ｂにより制御を受けた縦方向の水流      Ｈ  釣り用スプーンの進行方向
【実施例】［図１］
前面図
Ａは釣り用スプーン本体
Ｂは水流制御翼
Ｃはライン結束孔
Ｄはフック連結孔
［図２］
側面図
符号は図１に同じ
［図３］
側面図と高速度リトリーブ時の水流
符号ＡＢＣＤは図１、２に同じ
Ｅは水流
Ｆは本体背面に発生した横方向の水流
ＧはＢにより制御を受けた縦方向の水流
Ｈは釣り用スプーンの進行方向
［図４］
側面図と低速度リトリーブ時の水流
符号は図３に同じ
【図１】
0003189555.tif 000003
【図２】
0003189555.tif 000004
【図３】
0003189555.tif 000005
【図４】
0003189555.tif 000006
(57)【要約】      （修正有）【課題】燃料用の灯油等の石油類や水等の液体を運搬するために家庭用若しくは業務用に使用されるいわゆる合成樹脂用ポリタンクに関し、複雑な金型を必要とすることなく、運搬・注出作業を安全で確実にする合成樹脂用ポリタンク用取っ手を提供する。【解決手段】内部中空の直方体で注入口１４と注出口１２とを上部に設け、運搬用の取っ手１５を上部に設けてなる合成樹脂製のポリタンクにおいて、取っ手１５の形状を波形にする。【選択図】図３
0003189559.tif 000002
【実用新案登録請求の範囲】
【請求項１】
内部中空の直方体で注入口と注出口とを上部に設け、運搬用の取っ手を上部に設けてなる合成樹脂製のポリタンクにおいて、把持部の形状を波形状にしたことを特徴とする合成樹脂製ポリタンク用取っ手。
【請求項２】
前記把持部の波形状は山部と谷部からなり、山部は指と指の間、谷部は指が収まる形状に形成したことを特徴とする請求項１記載の合成樹脂用ポリタンク用取っ手。
【考案の詳細な説明】
【技術分野】
【０００１】      本考案は、燃料用の灯油等の石油類や水等の液体を運搬するために家庭用若しくは業務用に使用されるいわゆる合成樹脂製ポリタンクに関する。
【背景技術】
【０００２】      従来、合成樹脂製ポリタンクは図１に示すように、運搬用の取っ手１３がポリタンク本体１１の上部と下部の複数個所に設けられており、把持部は直方体で、内部の液体等を他の容器や装置等に注出口から注ぐためには、ポリタンク本体１１を手で持ち上げる場合前記運搬用の取っ手１３を利用していた。
【先行技術文献】
【特許文献】
【０００３】
【特許文献１】実開平５−４２１１６
【特許文献２】実用新案登録第３０７２７７２号
【考案の概要】
【考案が解決しようとする課題】
【０００４】      しかしながら、上述のポリタンクの取っ手構造では、直方体形状でそのため、滑りやすい欠点があった。また、取っ手形状が直方体のため、握った指に直方体部分の角部があたるなどして、指に負担が加かっていた。【０００５】      一方、内部の液体等を他の容器や装置等に注出口から注ぐためには、取っ手１３を握りポリタンク本体１１を手で持ち上げ、一方の手で握りバー部１７を握りポリタンクを傾けながら液体を注出しなければならない。このため、取っ手１３の担持部が直方体であると滑りやすく、上述の注出作業がしづらいものであり、場合によっては不安定のため、灯油等をこぼしてしまうなど危険であるといった欠点が存在した。【０００６】    さらに、従来のように取っ手１３と貫通穴１６を設けた握り部１８など複数の把持部があると、製造上複雑な金型を要し、コストが上がってしまうという問題があった。【０００７】      本考案は、上記の課題を鑑みてなされたもので、把持部を改良することで、複雑な金型を使用することなく、握った指及び手のひらの負担を軽減し、運搬・注出作業を安全で確実にするポリタンクを提供することを目的とする。
【課題を解決するための手段】
【０００８】      本考案は、上記課題を解決するために略直方体で角部の丸みを帯びた取っ手を注入口と注出口との間に設けた合成樹脂製ポリタンクにおいて、指の把持部の形状を波形にした合成樹脂用ポリタンク用取っ手である。【０００９】      さらに、把持部を波形状は山部と谷部からなり、山部は指と指の間、谷部は指が収まる形状に形成した合成樹脂用ポリタンク用取っ手である。
【考案の効果】
【００１０】      本考案の合成樹脂用ポリタンクの取っ手は、直方体の角部や把持する握り部分が手の指にフィットして握りやすく改良したので、手の指や手のひらへの負担が軽減し、かつ滑りにくいため、注出作業等が安全に行えるようになった。
また、複数の取っ手を必要とすることがないので、コストを抑えられることができる。
【図面の簡単な説明】
【００１１】
【図１】従来例に係る合成樹脂製ポリタンクの斜視図である。
【図２】本考案に係る合成樹脂製ポリタンクの斜視図である。
【図３】本考案に係る合成樹脂製ポリタンクの把持部の拡大図である。
【考案を実施するための形態】
【００１２】  以下本考案に係る合成樹脂用ポリタンクの実施の形態について、図１乃至図３を参照しながら説明する。なお、この図１乃至図３において、同一の部材には同一の符号を付すこととし、説明の便に供する。
【実施例】
【００１３】図１は、従来の合成樹脂製ポリタンク１１で矩形の密閉容器に構成されている。
この取っ手１３は、直方体状で握ると角部の重さが指にかかり、持ちづらかった。【００１４】図２は、本考案の合成樹脂製ポリタンク１１である。
この合成樹脂製ポリタンク１１には、その上面部における一方の端部に口部として注出口１２が設けられ、他方の端部には口部としての注入口１４が設けられている。
また、合成樹脂製ポリタンク１１の上面部中央には、取っ手１５が一体に形成されている。【００１５】  次に、上述のように構成された本実施例の形態に係る合成樹脂製ポリタンク１１の作用及び動作について説明する。
図３は、本考案に係る合成樹脂製ポリタンクの把持部の拡大図である。
合成樹脂製ポリタンク１１の取っ手１５を片手で握った場合、取っ手の山部が指と指の間に入り、また、指自体は取っ手の谷部に収まり、片手で合成樹脂製ポリタンク１１を握り、容易に持ち上げることができる。【００１６】また、取っ手の握り部が波形状になっているので、握った指が合成樹脂製ポリタンク１１の取っ手１５から滑ることがない。
【符号の説明】
【００１７】１１  ポリタンク本体、１２  注出口、１３  取っ手、１４  注入口  １５  取っ手（波形形状）  １６  貫通穴  １７  握りバー部  １８  握り部
【図１】
0003189559.tif 000003
【図２】
0003189559.tif 000004
【図３】
0003189559.tif 000005
(57)【要約】      （修正有）【課題】少ない力で短時間に耕耘機の内側に付着した土を削り取ることができる土削り農具を提供する。【解決手段】農用作業機の走行機体に駆動可能に連結された耕耘機の内側に付着した土を削り取る農具であり、長尺の棒状の支持部１、てこ部２及び土削り部材３ｂを内包する腕部３ａがこの順に、支持部及びてこ部の結合線と腕部及びてこ部の結合線がてこ部側に１５０〜１６０度の角度で交差するように連結されている。てこ部耕耘機軸に接する曲りを有し、てこ部を支点とし、支持部力を加えることにより、てこの作用により腕部に内包される土削り部材が耕転機の内側に付着した土を削り取る。【選択図】図１
0003189599.tif 000002
【実用新案登録請求の範囲】
【請求項１】
農用作業機の走行機体に駆動可能に連結された耕耘機の内側に付着した土を削り取る農具であり、長尺の棒状の支持部（１）、てこ部（２）及び土削り部材（３ｂ）を内包する腕部（３ａ）がこの順に、支持部（１）及びてこ部（２）の結合線と腕部（３ａ）及びてこ部（２）の結合線がてこ部（２）側に１４０〜１７０度の角度で交差するように連結されている構造を有し、てこ部（２）は耕耘機軸に接する曲りを有し、てこ部（２）を支点とし、支持部（１）に力を加えることにより、てこの作用により腕部（３ａ）に内包される土削り部材（３ｂ）が耕転機の内側に付着した土を削り取る機構を有することを特徴とする土削り農具。
【請求項２】
耕耘機軸とカバー内側の距離が変化しても、土削り部材（３ｂ）が腕部（３ａ）内を変化量スライドし、耕転機の内側に密着する機構を有する請求項１に記載の土削り農具。
【考案の詳細な説明】
【技術分野】
【０００１】
本考案は、耕転機の内側に付着した土を削り取る農具に関する。
【背景技術】
【０００２】
耕転機の作業効率が低下しないように、従来はヘラ、鎌、棒、板などにより押したり引いたりしながら耕転機の内側に付着した土を削り落していた。付着した土の量により、土を削り落とす作業時間が掛かり、腕力も必要であった。
【考案の概要】
【考案が解決しようとする課題】
【０００３】
土の付着量により除去に要する時間が一人で２０分以上かかり、腕力も必要である。
【０００４】
本考案は、てこの作用により少ない力で、短時間で上述の問題を解決することを目的とする。
【課題を解決するための手段】
【０００５】
本考案は、上記目的を達成するために、農用作業機の走行機体に駆動可能に連結された耕耘機の内側に付着した土を削り取る農具であり、長尺の棒状の支持部（１）、てこ部（２）及び土削り部材（３ｂ）を内包する腕部（３ａ）がこの順に、支持部（１）及びてこ部（２）の結合線と腕部（３ａ）及びてこ部（２）の結合線がてこ部（２）側に１４０〜１７０度の角度で交差するように連結されている構造を有し、てこ部（２）は耕耘機軸に接する曲りを有し、てこ部（２）を支点とし、支持部（１）に力を加えることにより、てこの作用により腕部（３ａ）に内包される土削り部材（３ｂ）が耕転機の内側に付着した土を削り取る機構を有することを特徴とする土削り農具を提供するものである。
【０００６】
また、本考案は、第２の課題解決手段として、耕耘機軸とカバー内側の距離が変化しても、土削り部材（３ｂ）が腕部（３ａ）内を変化量スライドし、耕転機の内側に密着する機構を有する上記の土削り農具を提供するものである。
【考案の効果】
【０００７】
本考案の土削り農具を使用すれば、非力な人でも短時間で耕転機の内側に付着した土を削り落とすことができる。
また、耕耘機軸とカバー内側の距離が変化しても、土削り部材（３ｂ）が腕部（３ａ）内を変化量スライドして耕転機の内側に密着することにより、付着した土を深く削り取ることが可能である。
【図面の簡単な説明】
【０００８】
【図１】本考案の土削り農具の正面図。
【図２】本考案の土削り農具の平面図。
【図３】本考案の土削り農具の使用形態を示す模式図。
【図４】本考案の土削り農具を使用して耕転機の内側に付着した土を削り落す形態を示す写真。
【図５】本考案の土削り農具の腕部（３ａ）から土削り部材（３ｂ）を取り外した状態を示す写真。
【考案を実施するための形態】
【０００９】
以下、本考案の実施の形態を図１〜図５に基づいて説明する。
【００１０】
図１及び図２に示すように、長尺の棒状の支持部（１）、てこ部（２）及び土削り部材（３ｂ）を内包する腕部（３ａ）がこの順に連結されており、支持部（１）及びてこ部（２）の結合線と腕部（３ａ）及びてこ部（２）の結合線がてこ部（２）側に１４０〜１７０度の角度で交差しており、てこ部（２）は耕耘機軸に接する曲りを有している。
【００１１】
図３に示すように、てこ部（２）を支点とし、支持部（１）に力を加えることにより、てこの作用により腕部（３ａ）に内包される土削り部材（３ｂ）が耕転機の内側に付着した土を削り取ることができる。図４に示すＣ方向からの図が図３であり、支持部（１）を図３に示すＡａからＢｂに動かすことにより耕転機の内側に付着した土が削り取られる。
【００１２】
長尺の棒状の支持部（１）は、土削り部材（３ｂ）を内包する腕部（３ａ）の２〜３倍の長さを有するのが好ましい。
【００１３】
てこ部（２）は、直径６．０〜１２．０ｃｍの曲がりを持っているのが好ましく、直径７．５〜８．５ｃｍの曲がりを持っているのがより好ましい。支持部（１）及びてこ部（２）の結合線と腕部（３ａ）及びてこ部（２）の結合線がてこ部（２）側に１４０〜１７０度の角度で交差しており、その角度は１５０〜１６０度であるのが好ましい。
【００１４】
腕部（３ａ）は土削り部材（３ｂ）を内包しており、耕耘機軸とカバー内側の距離が変化しても、土削り部材（３ｂ）が腕部（３ａ）内を変化量スライドし、耕転機の内側に密着する機構を有しているのが好ましい。
その機構として、例えば、土削り部材（３ｂ）を内包する腕部（３ａ）の内部にスプリングを入れておけば、常に土削り部材の先端が耕耘機カバーの内側に接することができる。
【００１５】
支持部（１）、てこ部（２）並びに腕部（３ａ）及び土削り部材（３ｂ）の材質としては、錆、劣化の観点からステンレスを使用するのが好ましい。
【符号の説明】
【００１６】
１      支持部
２      てこ部
３ａ    腕部                                                      
３ｂ    土削り部材                                                  
Ａａ    農具セット位置
Ｂｂ    農具動作完了位置
Ｃ      図３で表される方向
【図１】
0003189599.tif 000003
【図２】
0003189599.tif 000004
【図３】
0003189599.tif 000005
【図４】
0003189599.tif 000006
【図５】
0003189599.tif 000007
(57)【要約】      （修正有）【課題】ゴキブリ等の虫や鼠から蛇口を護る蛇口カバーを提供する。【解決手段】抗菌性の不透明で水の臭いを遮断できる厚みを持つ丈夫な樹脂素材の外袋本体１と取り替え可能な樹脂素材の中袋５から成る２重袋の外袋本体の開口部２側にゴムバンド３を設け、その両面の対極に面ファスナー４を装着し、２重袋を蛇口に被せて、蛇口管にゴムバンドを密着させて巻き付け留めることにより、ゴキブリ等の虫や鼠の害を防止する。【選択図】図１
0003189519.tif 000002
【実用新案登録請求の範囲】
【請求項１】
抗菌性の不透明で水の臭いを遮断できる厚みを持つ丈夫な樹脂素材の外袋本体と取り替え可能な樹脂素材の中袋から成る２重袋の外袋本体の開口部側にゴムバンドを設け、その両面の対極にマジックテープを装着することにより、密閉可能また着脱可能にしたゴキブリ・鼠避け蛇口カバー。
【考案の詳細な説明】
【技術分野】
【０００１】  本考案は、蛇口をゴキブリ等の虫や鼠から護るために、樹脂素材の袋にマジックテープを装着したゴムバンドを設けたカバーに関するものである。
【背景技術】
【０００２】  従来、凍結防止用の類似のカバーはあるが、それは布素材の物であり、水の臭いを遮断することはできず、ゴキブリ等の虫や鼠から、護るために密閉するようには作られていない。
【考案の概要】
【考案が解決しようとする課題】
【０００３】  ゴキブリ等の虫や鼠は、水を求めて台所等の水場に出没することがあり、その時に、蛇口に残っている水を吸うことがある。それを防ぐために蛇口を被い、密閉可能また着脱可能にするカバーを用いることにより、前述の欠点を解決しようとするものである。
【課題を解決するための手段】
【０００４】  本考案は、蛇口のサイズに合わせた樹脂素材の２重のカバーで、外袋と中袋から成り、外袋の開口部側にマジックテープを装着させたゴムバンドを設けることにより、蛇口に被せて蛇口管に密着させることにより、密閉可能また着脱可能にして、問題点を解決している。
【考案の効果】
【０００５】  上述のようにゴキブリ等の虫や鼠が蛇口に接することを防ぐことにより、それらの生物が運んだ菌や汚れに人が直接触れずに済み、安心できる。
【図面の簡単な説明】
【０００６】
【図１】本考案のゴキブリ・鼠避け蛇口カバーの中袋を内在した外袋の正面図である。
【図２】本蛇口カバーの中袋を内在した開口図である。
【図３】蛇口に装着した本蛇口カバーの線図である。
【考案を実施するための形態】
【０００７】  外袋と中袋から成る２重構造のカバーの外袋本体の開口部側に、ゴムバンドを設けて、その両面の対極にゴムバンドの２分の１程度の長さのマジックテープを装着する。そのカバーを蛇口に被せて、ゴムバンドを蛇口管に密着させて巻き付け、マジックテープで留めることにより、密閉可能、また着脱可能になる。
外袋本体は抗菌性の不透明で水の臭いを遮断できる厚みを持つ柔軟性のある樹脂素材を用いて、水の臭いを遮断し、蛇口の形状を隠すことで、ゴキブリ等の虫や鼠を遠ざける。鼠、ゴキブリ等が外袋に接した形跡がみとめられた時は、外袋を交換すればよい。
中袋は取替えができるようにするため、外袋と接着しない。柔軟性のある樹脂素材を用い、サイズは外袋と同程度とし、抗菌性の物でなくてもよい。
【実施例】
【０００８】  以下、添付図面に従って、一実施例を説明する。１は抗菌性の不透明で水の臭いを遮断できる厚みを持つ樹脂素材の外袋本体、２は開口部、３はゴムバンド、４はゴムバンドに装着させたマジックテープ、５は樹脂素材の中袋、６は蛇口管で、２の開口部から蛇口に被せ、３のゴムバンドを６の蛇口管に巻き付けて、４のマジックテープで留める。
【符号の説明】
【０００９】  １  外袋本体
２  外袋開口部
３  ゴムバンド
４  マジックテープ
５  中袋
６  蛇口管
【図１】
0003189519.tif 000003
【図２】
0003189519.tif 000004
【図３】
0003189519.tif 000005
【手続補正書】
【提出日】平成25年12月24日(2013.12.24)
【手続補正１】
【補正対象書類名】実用新案登録請求の範囲
【補正対象項目名】請求項１
【補正方法】変更
【補正の内容】
【請求項１】
抗菌性の不透明で水の臭いを遮断できる厚みを持つ丈夫な樹脂素材の外袋本体と取り替え可能な樹脂素材の中袋から成る２重袋の外袋本体の開口部側にゴムバンドを設け、その両面の対極に面ファスナーを装着することにより、密閉可能また着脱可能にしたゴキブリ・鼠避け蛇口カバー。
【手続補正２】
【補正対象書類名】明細書
【補正対象項目名】０００１
【補正方法】変更
【補正の内容】
【０００１】  本考案は、蛇口をゴキブリ等の虫や鼠から護るために、樹脂素材の袋に面ファスナーを装着したゴムバンドを設けたカバーに関するものである。
【手続補正３】
【補正対象書類名】明細書
【補正対象項目名】０００４
【補正方法】変更
【補正の内容】
【０００４】  本考案は、蛇口のサイズに合わせた樹脂素材の２重のカバーで、外袋と中袋から成り、外袋の開口部側に面ファスナーを装着させたゴムバンドを設けることにより、蛇口に被せて蛇口管に密着させることにより、密閉可能また着脱可能にして、問題点を解決している。
【手続補正４】
【補正対象書類名】明細書
【補正対象項目名】０００７
【補正方法】変更
【補正の内容】
【０００７】  外袋と中袋から成る２重構造のカバーの外袋本体の開口部側に、ゴムバンドを設けて、その両面の対極にゴムバンドの２分の１程度の長さの面ファスナーを装着する。そのカバーを蛇口に被せて、ゴムバンドを蛇口管に密着させて巻き付け、面ファスナーで留めることにより密閉可能また着脱可能になる。
外袋本体は抗菌性の不透明で水の臭いを遮断できる厚みを持つ柔軟性のある樹脂素材を用いて、水の臭いを遮断し、蛇口の形状を隠すことで、ゴキブリ等の虫や鼠を遠ざける。
鼠、ゴキブリ等が外袋に接した形跡がみとめられた時は、外袋を交換すればよい。
中袋は取替えができるようにするため、外袋と接着しない。柔軟性のある樹脂素材を用い、サイズは外袋と同程度とし、抗菌性の物でなくてもよい。
【手続補正５】
【補正対象書類名】明細書
【補正対象項目名】０００８
【補正方法】変更
【補正の内容】
【０００８】  以下、添付図面に従って、一実施例を説明する。１は抗菌性の不透明で水の臭いを遮断できる厚みを持つ樹脂素材の外袋本体、２は開口部、３はゴムバンド、４はゴムバンドに装着させた面ファスナー、５は樹脂素材の中袋、６は蛇口管で、２の開口部から蛇口に被せ、３のゴムバンドを６の蛇口管に巻き付けて、４の面ファスナーで留める。
【手続補正６】
【補正対象書類名】明細書
【補正対象項目名】０００９
【補正方法】変更
【補正の内容】
【０００９】１  外袋本体
２  外袋開口部
３  ゴムバンド
４  面ファスナー
５  中袋
６  蛇口管
(57)【要約】      （修正有）【課題】筒状の印鑑ケース本体の末端に、ペン先となる導電性の樹脂ゴムを設置し、ストラップにより携帯用通信機器と連係することでタッチペンとして利用でき、尚且つ、携行頻度を高めることのできる印鑑ケースを提供する。【解決手段】印鑑４を収納するケース本体１に朱肉を収納したキャップ２を係合、嵌蓋する。一方の末端には導電性の樹脂ゴムで形成されるペン先３を施す。フック８にストラップ９を係合し携帯用通信機器に付属する。このようにすることでタッチペン機能を兼ねた印鑑ケースを連携することができる。【選択図】図２
0003189511.tif 000002
【実用新案登録請求の範囲】
【請求項１】
印鑑を収納する筒状のケース本体の末端に、導電性の樹脂ゴムによる構成のペン先を設けたところを特徴とするタッチペン＆印鑑ケース。
【請求項２】
タッチペンとしての機能を有し、携帯用ストラップにより携帯用通信機器と連係することで携行頻度を高め捺印の必要時に、持参忘れの問題を解消できるところを特徴とするタッチペン＆印鑑ケース。
【考案の詳細な説明】
【技術分野】
【０００１】
本考案は、筒状のケース本体の末端に導電性の樹脂ゴムで構成されるペン先を設けることでタッチペンとしての機能を兼ね備える印鑑ケースに関するものである。
【背景技術】
【０００２】
従来より用いられている一般的な印鑑ケースの例として、箱型、或は、筒型の形状で二つ折りのものが知られている。当該の印鑑ケースにおいては、捺印の有事に携行することが多いため持参忘れなどの課題がある。
【０００３】
前記の課題を解決する技術として、胸ポケットにクリップする物や携帯ストラップ付きの印鑑などが知られている。（特許文献、１，２参照）
【先行技術文献】
【特許文献】
【０００４】
【特許文献１】特許公開平１１−３１８５４１
【特許文献２】実用新案公開平６−７５６７６０
【考案の概要】
【考案が解決しようとする課題】
【０００５】
しかしながら、特許文献、１，２に例示される構成においては、単に印鑑を携行しやすくするための手段であり、機能的には印鑑として捺印時の使用のみであるため、新たな用途付加し、より携行しやすく、利便性を高めようとするものである。
【課題を解決するための手段】
【０００６】
本考案は、印鑑を収納する筒状のケース本体の末端に、導電性の樹脂ゴムで構成されるペン先を設け、一般的に携行頻度の高い携帯用通信機器にストラップにより連係し、携行することでタッチペンとして利用でき、利便性と携行頻度を高めることができる。
【考案の効果】
【０００７】
本考案によれば、携行頻度の高い携帯用通信機器に連係するタッチペンとしての機能を有することによりケース内部に一体となる印鑑の携行もでき、急な捺印の有事にも持参忘れなく対応することが可能になる。
【図面の簡単な説明】
【０００８】
【図１】本考案のタッチペン＆印鑑ケースの一実施例を示す斜視図である。
【図２】本印鑑タッチペン＆ケースの本体とキャップの係合を解き内部の詳細な構成を示す斜視図である。
【図３】本印鑑タッチペン＆ケースの本体とキャップの係合を解き内部の詳細な構成を示す平面図である。
【図４】本印鑑タッチペン＆ケースの実施形態に係る構成の係合を解いた  状態を示す一部切欠透視平面図である。
【考案を実施するための形態】
【０００９】
印鑑ケース本体は、一方の末端を円すい形に施し、中空に印鑑を収納する筒状の本体と、朱肉を収納しうる球体のキャップ、ペン先となる導電性の樹脂ゴムから構成され、ストラップ、または、イヤホンジャックピンにて携帯通信機器との係止が自在となる。
【実施例】
【００１０】
以下、添付図面に従って一実施例を説明する。１は印鑑４を収納するケース本体、２は朱肉５を収納し、ケース本体に係合されるキャップであり、係止ボッチ６、係止溝７にて嵌蓋される。３は導電性の樹脂ゴムにより形成されるペン先であり、フック８にストラップ９を係合し携帯用通信機器に付属することで印鑑ケースを連携することができる。
【００１１】
本考案の一実施例は上述の如き構成から成るものであるから、印鑑を収納するケースとして用いることは勿論であるが、本体１の末端に設けられたペン先によりタッチペンとしての機能も兼ねて使用することができる。
【符号の説明】
【００１２】
１ケース本体
２キャップ
３電導性ペン先
４印鑑
５朱肉
６係止ボッチ
７係止溝
８フック
９ストラップ
１０イヤホンジャックピン
【図１】
0003189511.tif 000003
【図２】
0003189511.tif 000004
【図３】
0003189511.tif 000005
【図４】
0003189511.tif 000006
【手続補正書】
【提出日】平成25年11月21日(2013.11.21)
【手続補正１】
【補正対象書類名】明細書
【補正対象項目名】００１０
【補正方法】変更
【補正の内容】
【００１０】以下、添付図面に従って一実施例を説明する。１は印鑑４を収納するケース本体、２は朱肉５を収納し、ケース本体に係合されるキャップであり、係止ボッチ６、係止溝７にて嵌蓋される。３は導電性の樹脂ゴムの塗膜により形成されるペン先であり、フック８にストラップ９を係合し携帯用通信機器に付属することで印鑑ケースを連携することができる。
【手続補正書】
【提出日】平成25年12月18日(2013.12.18)
【手続補正１】
【補正対象書類名】実用新案登録請求の範囲
【補正対象項目名】全文
【補正方法】変更
【補正の内容】
【実用新案登録請求の範囲】
【請求項１】
印鑑を収納する筒状のケース本体の末端に、導電性の樹脂ゴムにより塗膜されし構成のペン先を設けたことを特徴とするタッチペン一体型印鑑ケース。
【手続補正３】
【補正対象書類名】明細書
【補正対象項目名】０００６
【補正方法】変更
【補正の内容】
【０００６】
本考案は、印鑑を収納する筒状ケース本体の一方の末端に、導電性の樹脂ゴムを塗膜し構成されるペン先を設け、一般的に携行頻度の高い携帯用通信機器とストラップにより連係し、携行することでタッチペンとして利用でき、利便性と携行頻度を高めることができる。
【手続補正４】
【補正対象書類名】明細書
【補正対象項目名】０００８
【補正方法】変更
【補正の内容】
【０００８】
【図１】本考案のタッチペン一体型印鑑ケースの一実施例を示す斜視図である。
【図２】本タッチペン一体型印鑑ケースの本体とキャップの係合を解き内部の詳細な構成を示す斜視図である。
【図３】本タッチペン一体型印鑑ケースの本体とキャップの係合を解き内部の詳細な構成を示す平面図である。
【図４】本タッチペン一体型印鑑ケースの実施形態に係る構成の係合を解いた状態を示す一部切欠透視平面図である。
【手続補正５】
【補正対象書類名】明細書
【補正対象項目名】０００９
【補正方法】変更
【補正の内容】
【０００９】
印鑑ケース本体は、一方の末端を円すい形に施し、中空に印鑑を収納する筒状の躯体と、朱肉を収納しうる球体のキャップ及び、導電性の樹脂ゴムを塗膜したペン先から構成され、キャップに設けしフックと連携するストラップ、または、イヤホンジャックピンにて携帯通信機器との係止が自在となる。
(57)【要約】      （修正有）【課題】本体を分解せず、内部に盗聴器が組み込まれていないことを目視で確認できる盗聴防止電源タップを提供する。【解決手段】本体部１の全部ないし一部に透視可能な材質を使った構造体とする。直視により内部を透視し外部から容易に目視確認出来るようにする。【選択図】図１
0003189513.tif 000002
【実用新案登録請求の範囲】
【請求項１】
本体部（１）を透視可能構造にし、内部確認を容易にした盗聴防止電源タップ。
【考案の詳細な説明】
【技術分野】
【０００１】    本考案は、本体内部を透視確認することにより盗聴を防止する電源タップに関するものである
【考案の詳細な説明】
【考案が解決しようとする課題】
【０００２】  従来、いわゆる電源タップは本体が不透明な為、分解しないと内部を目視することが出来ない構造体のものがあった。内部に盗聴回路が組み込まれていても、外部からは容易に分かりにくいという問題点を有していた。
【課題を解決する為の手段】
【０００３】  上記の問題を解決する為、電源タップ本体の全部ないし一部に透明な材質を使用する。
【考案の効果】
【０００４】  本体の内部を透視し、組み込まれた盗聴回路の発見を目視にて容易に確認することができるため、盗聴によるプライバシーの侵害の心配や不安をいだくことなく安心して使用する事ができるようになる。
【図面の簡単な説明】
【０００５】
【図１】  本体の斜視図である
【符号の説明】
【０００６】  １  透明な本体部
２  プラグ差込口
３  コンセント差込金具
【図１】
0003189513.tif 000003
【手続補正書】
【提出日】平成25年12月16日(2013.12.16)
【手続補正１】
【補正対象書類名】実用新案登録請求の範囲
【補正対象項目名】全文
【補正方法】変更
【補正の内容】
【実用新案登録請求の範囲】
【請求項１】
本体の全部ないし一部を透明な材質で構成したことを特徴とする盗聴防止電源タップ。